(57)【要約】【課題】  テーブルを使用するときのみテーブルを取り出すことができるようにした、機構が極めて簡単なテーブル付きベッドを提供すること。【解決手段】  ベッドの長手方向に対して直交する方向に、レール取付け部材を介してベッドの枠に取付けられたレールと、前記レール上を走行するレール用キャスタを備えたテーブル板と、前記テーブル板の前端に設けられたテーブル支持脚と、前記テーブル支持脚の下に設けられ、床上用キャスタとを有するテーブル付きベッドによる。【選択図】  図１
2005296209.tif 000002
【特許請求の範囲】
【請求項１】
ベッドの長手方向に対して直交する方向に、レール取付け部材を介してベッドの枠に取付けられたレールと、
前記レール上を走行するレール用キャスタを備えたテーブル板と、
前記テーブル板の前端に設けられたテーブル支持脚と、
前記テーブル支持脚の下に設けられた床上用キャスタとを有し、
前記テーブル板がベッドの下から出没可能に移動することを特徴とするテーブル付きベッド。
【請求項２】
ベッドの長手方向に対して直交する方向に、レール取付け部材を介してベッドの枠に取付けられたレールと、
前記レールに係合するスライドレールを備えたテーブル板と、
前記テーブル板の前端に設けられたテーブル支持脚と、
前記テーブル支持脚の下に設けられた床上用キャスタとを有し、
前記テーブル板がベッドの下から出没可能に移動することを特徴とするテーブル付きベッド。
【請求項３】
前記テーブル板の両側を挟むこむ位置にガイドローラを設け、該テーブル板の移動方向をガイドすることを特徴とする請求項１または２のいずれかに記載のテーブル付きベッド。
【発明の詳細な説明】
【技術分野】
【０００１】
本発明はテーブル付きベッドに関する。
【背景技術】
【０００２】
従来より、テーブルとしても利用できるように工夫したテーブル付きベッドが提案されている。
【特許文献１】特開２００３−１４４２７１
【発明の開示】
【発明が解決しようとする課題】
【０００３】
しかし、特開２００３−１４４２７１に記載されたベッドは、ベッドの横にテーブルとして利用できるように、ベッドの基台を横方向に張り出すようにしたものであるから、テーブルとして利用しないときも、ベッドの占有面積の他に常にテーブル部分の面積が必要となる。
【０００４】
本願発明は、かかる問題に鑑みて創作されたものであって、テーブルを使用するときのみテーブルを取り出すことができるようにした、機構が極めて簡単なテーブル付きベッドの提供を目的とする。
【課題を解決するための手段】
【０００５】
本願発明のテーブル付きベッドは、ベッドの長手方向に対して直交する方向に、レール取付け部材を介してベッドの枠に取付けられたレールと、前記レール上を走行するレール用キャスタを備えたテーブル板と、前記テーブル板の前端に設けられたテーブル支持脚と、前記テーブル支持脚の下に設けられた床上用キャスタとを有することにより、上記課題を解決する。
【０００６】
また、本願発明のテーブル付きベッドは、ベッドの長手方向に対して直交する方向に、レール取付け部材を介してベッドの枠に取付けられたレールと、前記レールに係合するスライドレールを備えたテーブル板と、前記テーブル板の前端に設けられたテーブル支持脚と、前記テーブル支持脚の下に設けられた床上用キャスタとを有することにより、上記課題を解決する。
【発明の効果】
【０００７】
テーブル板を使用するときは、ベッドの下に収納されたテーブル板を引き出す。このとき、テーブル板のキャスタがレール上を転がり、テーブル支持脚のキャスタは床上を転がるので、テーブル板をベッドの下から円滑に引き出すことが可能となる。
【０００８】
また、テーブル板をベッドの下に押し込むときも、同様に、テーブル板のキャスタがレール上を転がり、テーブル支持脚のキャスタは床上を転がるので、テーブル板を円滑にベッドの下に収納することができる。
【０００９】
なお、テーブル板の前側はテーブル支持脚により、テーブル板の後側はテーブル板のキャスタ、レール、レール取り付け部材を介してベッドにより支えられているので、重い物をテーブル板上に置いても十分に耐えることができる。このようにして、本発明によれば、テーブル板を使用しないときには、外観上、ベッドだけにすることができるし、テーブル板を必要とするときは、ベッドの下から容易に取り出すことができるので、生活上、きわめて便利である。
【００１０】
また、テーブル板の下にキャスタを設ける代わりに、スライドレールを設けても、同様な効果が得られる。
【発明を実施するための最良の形態】
【００１１】
（１）第１の実施形態
以下、本発明の実施形態に係るテーブル付きベッドついて、添付図面を参照しながら説明する。図１は本発明の実施形態に係るテーブル付きベッドの構成を示す斜視図である。なお、説明の便宜上、マットは取り除いている。
【００１２】
図のように、レール２にはその両端にレール取り付け部材３とレール取り付け部材４が設けられ、テーブル板８がベッドの枠１の下を通り抜けることができるように、ベッドの枠１に取り付けられている。もう一方のレール５も同様に、レール取り付け部材６と７を介してベッドの枠１に取付けられている。
【００１３】
このように、レール２と５はベッドの長手方向に対して直交する方向で、互いに並行している。テーブル板８の裏側には、レール２、レール５の上を走行するキャスタが取付けられている。
【００１４】
さらに、テーブル板８の前端には、床に向かって延びる2本のテーブル支持脚１１と１３が設けられ、各支持脚の下端には、キャスタ１２と１４が取付けられている。なお、１５はキャスタがオーバー走行してレールからはずれ落ちないようにするストッパである。
【００１５】
図２はレール上を走行するキャスタ９の状態を示す斜視図である。なお、キャスタ９にはカバー１０を設けており、安全性に配慮している。
【００１６】
図３は本発明の実施形態に係るテーブル付きベッドの平面図である。図のように、レール取り付け部材４と７にはガイドローラ１６と１７が取付けられている。それらの取付け位置はガイドローラ１６がテーブル板８の右側部に、ガイドローラ１７がテーブル板８の左側部に軽く接触する程度である。
【００１７】
次に本発明の実施形態に係るテーブル付きベッドの動作について説明する。テーブル板を使用しないときには、図４に示すように、ベッドのマット１８の下に収納しておく。
【００１８】
このように、テーブル板を使用しないときには、ベッドの下に収納することができるので、室内のスペースを有効に利用することができる。またベッドとしての外観を保つことができるので、美観が損なわれることもない。
【００１９】
テーブル板８を使用するときは、ベッドの下から引き出すが、このとき、テーブル板８の下のキャスタがレール上を転動し、テーブル支持脚の下のキャスタが床上を転動していくので、テーブル板８をストッパ１５の位置まで円滑に引き出すことができる。なお、テーブル板８を真直ぐに引き出さないとき、テーブル板８の下のキャスタがレールの壁と衝突して円滑に走行しなくなるが、本実施形態によれば、両側のガイドローラ１６と１７が、テーブル板８の走行方向が真直ぐになるようにガイドするので、テーブル板８の下のキャスタがレールの壁と衝突することを防止できる。このようにして、テーブル板８の円滑な引き出しや、押し込みが可能となる。
【００２０】
また、テーブル板８は、その前側はテーブル支持脚およびテーブル支持脚のキャスタにより、その後側はテーブル板８のキャスタおよびレールを介してベッドの枠により支えられている。このように、テーブル板８は、実質的に４つの支持脚に支えられていることと同等であるから、テーブル板の上に物を置いてもその重量に十分に耐えることができる。
【００２１】
なお、テーブル支持脚４と５は、ベッドの下を横切ることはないので、ベッドの下は完全な収納空間として利用することができる。
【００２２】
（２）第２の実施形態
第１の実施形態では、テーブル板８の下にキャスタを設ける構成としたが、キャスタの代わりに、レールと係合するスライドレールをテーブル板８の下に設けてもよい。このようにしても、第１の実施形態の発明と同様の作用効果を得ることができる。
【００２３】
なお、スライドレールの場合には、第１の実施形態のキャスタがレール上を走行する場合と異なってテーブル板の横ブレが少ないと考えられるので、ガイドローラを省略してもよい。
【図面の簡単な説明】
【００２４】
【図１】図１は本発明の第１の実施形態に係るテーブル付きベッドの斜視図である。
【図２】図２は本発明の第１の実施形態に係るレール上を走行するキャスタの動作を説明する図である。
【図３】図３は本発明の第１の実施形態に係るテーブル付きベッドの構成を示す平面図である。
【図４】図４は本発明の第１の実施形態に係るテーブル付きベッドの動作を説明する図である。
【符号の説明】
【００２５】
１・・・ベッドの枠
２、５・・・レール
３、４、６，７・・・レール取付け部材
８・・・テーブル板
９・・・テーブル板のキャスタ
１１、１３・・・テーブル支持脚
１２，１４・・・テーブル支持脚のキャスタ
１６，１７・・・ガイドローラ
【図１】
2005296209.tif 000003
【図２】
2005296209.tif 000004
【図３】
2005296209.tif 000005
【図４】
2005296209.tif 000006